(57)【要約】      （修正有）【課題】太陽光発電モジュールに設けられたバイパスダイオードの検査を簡易化する。【解決手段】バイパスダイオードを有する太陽光発電システム１は、ｎ個のストリング系１１−１〜１１−ｎを備え、ストリングはプラス端子の側のスイッチ１３−１〜１３−ｎ、マイナス端子の側の１個のスイッチ１４−１〜１４−ｎを備える。発電状態からバイパスダイオード検査状態へ切り替える場合には、スイッチ部において、＋端子の側の切片５１と＋の接点５３とが接続されるとともに−端子の側の切片５２と−端子の側の接点５４とが接続される状態から、＋端子の側の切片５１と−の接点５４とが接続されるとともに−端子の側の切片５２と＋端子の側の接点５５とが接続される状態へ切り替える。【選択図】図１
2017200286.tif 000002
【特許請求の範囲】
【請求項１】
バイパスダイオードを有する太陽光発電モジュールと、
前記太陽光発電モジュールによる発電によって発生した直流電流を交流電流に変換して出力するインバータと、
前記太陽光発電モジュールと前記インバータとの間の経路を介して、前記太陽光発電モジュールに対して太陽光発電時と同じ向きの電流を流すための出力を行う検査出力部と、
を備える太陽光発電システム。
【請求項２】
前記検査出力部は、前記インバータに備えられ、入力された交流電流を直流電流に変換して前記太陽光発電モジュールに出力する、
請求項１に記載の太陽光発電システム。
【請求項３】
前記検査出力部は、電圧または電流のパルスを発生して前記太陽光発電モジュールに出力するパルス発生器を有する、
請求項１に記載の太陽光発電システム。
【請求項４】
前記検査出力部は、電圧を前記太陽光発電モジュールに印加する蓄電池を有する、
請求項１に記載の太陽光発電システム。
【請求項５】
前記太陽光発電モジュールに流れる電流または前記太陽光発電モジュールに印加される電圧に関する値を測定する測定部を備える、
請求項１から請求項４のいずれか１項に記載の太陽光発電システム。
【請求項６】
バイパスダイオードを有する太陽光発電モジュールによる発電によって発生した直流電流を交流電流に変換して出力するインバータと前記太陽光発電モジュールとの間の経路を介して、前記太陽光発電モジュールに対して太陽光発電時と同じ向きの電流を流すための出力を行い、前記太陽光発電モジュールに流れる電流または前記太陽光発電モジュールに印加される電圧に関する値を測定し、測定の結果に基づいて前記太陽光発電モジュールの検査を行う、
検査方法。
【発明の詳細な説明】
【技術分野】
【０００１】
本発明は、太陽光発電システムおよび検査方法に関する。
【背景技術】
【０００２】
太陽光パネルにより太陽光を利用して電力を発電することが行われている。１枚の太陽光パネルは、例えば、複数枚のセル（太陽光発電のセル）から構成される。また、例えば、複数枚の太陽光パネルが直列に接続されてストリングが構成される。太陽光パネルは、太陽電池モジュール（Ｐｈｏｔｏｖｏｌｔａｉｃ  Ｍｏｄｕｌｅ）と呼ばれる場合もある。
太陽光発電システムにおいて、太陽光パネルにバイパスダイオードが設置される場合がある（特許文献１参照。）。バイパスダイオードは、例えば、太陽光パネルが故障した際に当該太陽光パネルに加熱あるいは焼損が発生することを防ぐ目的で設置される場合がある。このような目的は、バイパスダイオードの断線が発生すると、達せられない。このため、太陽光パネルが設置された後に、バイパスダイオードの断線の有無を検査することは重要である。
【０００３】
ここで、バイパスダイオードの検査では、例えば、太陽光パネルについて１枚ごとに電流を流して、当該電流の値を測定する。しかしながら、この場合、太陽光発電システムから太陽光パネルを取り外す作業、当該太陽光パネルに流れる電流を測定する作業、および当該太陽光パネルを元の太陽光発電システムに取り付ける作業に、大幅な作業時間を要することがあった。特に、メガソーラでは、数万枚の太陽光パネルが存在することから、作業の負荷が多大となる。
【０００４】
なお、他の検査手法として、赤外線カメラを利用して、太陽光パネルの前面あるいは裏面に設置されているバイパスダイオードボックス（バイパスダイオードが設けられた箱）が過熱しているかどうかを検査する手法もあるが、この手法においても、大幅な時間を要する場合があり、さらに、一般に検出の精度が低い。
また、例えば、赤外線カメラを用いて、家庭用などで屋根に設置された太陽光パネルを１枚ごとに検査する作業は、煩雑な場合があった。
【先行技術文献】
【特許文献】
【０００５】
【特許文献１】特開２０１４−１６５２７７号公報
【発明の概要】
【発明が解決しようとする課題】
【０００６】
上述のように、太陽光発電システムでは、太陽光発電モジュール（例えば、ストリング、太陽光パネル、または、セルなど）に設けられたバイパスダイオードの検査に要する作業あるいは時間が多大になる場合があった。
【０００７】
本発明は、このような事情を考慮してなされたものであり、太陽光発電モジュールに設けられたバイパスダイオードの検査を簡易化することができる太陽光発電システムおよび検査方法を提供する。
【課題を解決するための手段】
【０００８】
本発明の一態様は、バイパスダイオードを有する太陽光発電モジュールと、前記太陽光発電モジュールによる発電によって発生した直流電流を交流電流に変換して出力するインバータと、前記太陽光発電モジュールと前記インバータとの間の経路を介して、前記太陽光発電モジュールに対して太陽光発電時と同じ向きの電流を流すための出力を行う検査出力部と、を備える太陽光発電システムである。
【０００９】
本発明の一態様は、太陽光発電システムにおいて、前記検査出力部は、前記インバータに備えられ、入力された交流電流を直流電流に変換して前記太陽光発電モジュールに出力する、構成が用いられてもよい。
【００１０】
本発明の一態様は、太陽光発電システムにおいて、前記検査出力部は、電圧または電流のパルスを発生して前記太陽光発電モジュールに出力するパルス発生器を有する、構成が用いられてもよい。
【００１１】
本発明の一態様は、太陽光発電システムにおいて、前記検査出力部は、電圧を前記太陽光発電モジュールに印加する蓄電池を有する、構成が用いられてもよい。
【００１２】
本発明の一態様は、太陽光発電システムにおいて、前記太陽光発電モジュールに流れる電流または前記太陽光発電モジュールに印加される電圧に関する値を測定する測定部を備える、構成が用いられてもよい。
【００１３】
本発明の一態様は、バイパスダイオードを有する太陽光発電モジュールによる発電によって発生した直流電流を交流電流に変換して出力するインバータと前記太陽光発電モジュールとの間の経路を介して、前記太陽光発電モジュールに対して太陽光発電時と同じ向きの電流を流すための出力を行い、前記太陽光発電モジュールに流れる電流または前記太陽光発電モジュールに印加される電圧に関する値を測定し、測定の結果に基づいて前記太陽光発電モジュールの検査を行う、検査方法である。
【発明の効果】
【００１４】
上記した太陽光発電システムおよび検査方法によれば、太陽光発電モジュールに設けられたバイパスダイオードの検査を簡易化することができる。
【図面の簡単な説明】
【００１５】
【図１】本発明の一実施形態（第１の構成例）に係る太陽光発電システムの概略的な構成例を示す図である。
【図２】本発明の一実施形態に係る太陽光発電時におけるストリングの動作の概要を説明するための図である。
【図３】本発明の一実施形態に係るバイパスダイオードの検査時におけるストリングの動作の概要を説明するための図である。
【図４】本発明の一実施形態（第２の構成例）に係る太陽光発電システムの概略的な構成例を示す図である。
【図５】本発明の一実施形態（第３の構成例）に係る太陽光発電システムの概略的な構成例を示す図である。
【図６】本発明の一実施形態（第４の構成例）に係る太陽光発電システムの概略的な構成例を示す図である。
【図７】本発明の一実施形態に係る測定装置を備えた太陽光発電システムの概略的な構成例を示す図である。
【図８】本発明の一実施形態に係る測定装置の概略的な構成例を示す図である。
【図９】本発明の一実施形態に係る監視システムの概略的な構成例を示す図である。
【図１０】本発明の一実施形態に係る測定装置の概略的な構成例を示す図である。
【図１１】本発明の一実施形態に係る監視装置の概略的な構成例を示す図である。
【発明を実施するための形態】
【００１６】
本発明の実施形態について図面を参照して詳細に説明する。
【００１７】
（第１の構成例）
［太陽光発電システムの構成例］
図１は、本発明の一実施形態（第１の構成例）に係る太陽光発電システム１の概略的な構成例を示す図である。
本実施形態に係る太陽光発電システム１は、例えば、メガソーラのシステムに適用されてもよい。
【００１８】
本実施形態に係る太陽光発電システム１は、太陽光発電系として、ｎ（ｎは１以上の整数である。）個のストリング系を備える。ここで、ｎは１でもよいが、本実施形態では、ｎは２以上である場合を説明する。
それぞれのストリング系は、１個のストリング（ｎ個のストリング１１−１〜１１−ｎのそれぞれ）と、１個の接続箱（ｎ個の接続箱１２−１〜１２−ｎのそれぞれ）と、プラス（＋）端子の側の１個のスイッチ（ｎ個のスイッチ１３−１〜１３−ｎのそれぞれ）と、マイナス（−）端子の側の１個のスイッチ（ｎ個のスイッチ１４−１〜１４−ｎのそれぞれ）を備える。
【００１９】
それぞれのストリング系において、１個のストリング、１個の接続箱、２個のスイッチ（＋端子の側のスイッチおよび−端子の側のスイッチ）の順に接続されている。当該＋端子は当該ストリングの＋端子であり、当該−端子は当該ストリングの−端子である。
それぞれのストリング１１−１〜１１−ｎは、所定の枚数の太陽光パネル（それぞれのストリング１１−１〜１１−ｎにおいて、１枚の太陽光パネル３１−１〜３１−ｎのみに符号を付してある。）を備える。１個のストリング１１−１〜１１−ｎを構成する太陽光パネルの枚数（所定の枚数）は、１以上の任意の枚数であってもよく、本実施形態では、２以上である場合を説明する。
【００２０】
また、本実施形態に係る太陽光発電システム１は、ｎ個のストリング系に共通な構成部として、スイッチ部４１と、インバータ７１と、端子７２と、トランス７３と、端子７４と、端子７５と、スイッチ７６と、端子７７と、電流計（電流検出器）９１と、電圧計（電圧検出器）９２を備える。
スイッチ部４１は、２個の切片５１〜５２と、３個の接点５３〜５５を備える。＋の接点５３および＋の接点５５は、それぞれ、ｎ個のストリング系の＋端子の側のスイッチ１３−１〜１３−ｎのそれぞれと接続されている。−の接点５４は、ｎ個のストリング系の−端子の側のスイッチ１４−１〜１４−ｎのそれぞれと接続されている。＋端子の側の切片５１は（電流計９１を介して）インバータ７１の＋端子と接続されている。−端子の側の切片５２はインバータ７１の−端子と接続されている。
インバータ７１の＋端子と−端子との間に、電圧計９２が接続されている。
【００２１】
スイッチ部４１は、＋端子の側の切片５１と＋の接点５３とが接続されるとともに−端子の側の切片５２と−端子の側の接点５４とが接続される状態（以下、「第１−１の状態」ともいう。）と、＋端子の側の切片５１と−の接点５４とが接続されるとともに−端子の側の切片５２と＋端子の側の接点５５とが接続される状態（以下、「第１−２の状態」ともいう。）とを切り替える。
また、インバータ７１、端子７２、トランス７３、端子７４、端子７５、スイッチ７６、端子７７の順に接続されている。
【００２２】
本実施形態に係る太陽光発電システム１では、それぞれのストリング１１−１〜１１−ｎにおいて、太陽光を利用して電力を発電する。発電された電力は、接続箱１２−１〜１２−ｎ、スイッチ１３−１〜１３−ｎ、１４−１〜１４−ｎ、スイッチ部４１、インバータ７１、端子７２、トランス７３、端子７４、端子７５、スイッチ７６、端子７７を介して、当該端子７７の接続先へ供給される。当該端子７７の接続先は、例えば、一般の電力系統（以下、「系統」ともいう。）である。
なお、それぞれのスイッチ１３−１〜１３−ｎ、１４−１〜１４−ｎ、７６は、閉じられているとき（オンのとき）には電力を通過させ、開かれているとき（オフのとき）には電力を通過させない。
【００２３】
ここで、トランス７３は、交流電力の電圧の大きさを変化させる。なお、トランス７３は、例えば、パワーコンディショナー（ＰＣＳ：Ｐｏｗｅｒ  Ｃｏｎｄｉｔｉｏｎｉｎｇ  Ｓｙｓｔｅｍ）に備えられたものである。
インバータ７１は、ｎ個のストリング系において発電された直流電力を交流電力に変換してトランス７３の側へ出力する動作を行う機能を有する。本実施形態では、この動作は、スイッチ部４１が第１−１の状態に切り替えられて、行われる。
また、本実施形態では、インバータ７１は、トランス７３の側からの交流電力を直流電力に変換してｎ個のストリング系の側へ出力する動作を行う機能を有する。本実施形態では、この動作は、スイッチ部４１が第１−２の状態に切り替えられて、行われる。
このように、本実施形態では、インバータ７１は、トランス７３の側における交流電力とｎ個のストリング系の側における直流電力とを双方向で変換する機能を有しており、直流と交流とを連係させる。
【００２４】
インバータ７１は、一例として、直流電力から交流電力へ変換する回路と、交流電力から直流電力へ変換する回路とを、別個な回路として備えてもよく、他の例として、これらの回路を共通な回路として備えてもよい。
なお、従来の太陽光発電システムでは、一般に、直流電力から交流電力へ変換するインバータの回路が用いられているが、例えば、当該回路に対して、ハードウェアまたはソフトウェアの一方または両方を追加的に備えることで、交流電力から直流電力へ変換する機能を備えてもよい。
【００２５】
電流計９１は、＋端子の側の切片５１とインバータ７１の＋端子との間に備えられており、当該電流計９１を流れる電流の値を測定（検出）する。また、電流計９１は、測定された値を表示する。
電圧計９２は、インバータ７１の＋端子と−端子との間に備えられており、これらの間に印加される電圧の値を測定（検出）する。また、電圧計９２は、測定された値を表示する。
【００２６】
ここで、本実施形態では、ｎ個のストリング１１−１〜１１−ｎのそれぞれが、所定の枚数の太陽光パネルを備え、それぞれの太陽光パネルが所定の枚数のセルを備える。１枚の太陽光パネルを構成するセルの枚数（所定の枚数）は、１以上の任意の枚数であってもよく、本実施形態では、２以上である場合を説明する。
【００２７】
他の構成例として、本実施形態におけるストリングおよび太陽光パネルの代わりに、太陽光パネルおよびセルが用いられてもよい。つまり、本実施形態における１個のストリング（ストリング１１−１〜１１−ｎのそれぞれ）の代わりに１枚の太陽光パネルが用いられ、本実施形態における１枚の太陽光パネル（太陽光パネル３１−１〜３１−ｎなどのそれぞれ）の代わりに１枚のセルが用いられてもよい。
１個のストリングにおいて、複数枚の太陽光パネルが縦横に並べられて設けられてもよく、また、１枚の太陽光パネルにおいて、複数枚のセルが縦横に並べられて設けられてもよい。
【００２８】
［太陽光発電時におけるストリングの動作］
図２は、本発明の一実施形態に係る太陽光発電時におけるストリング１１−１の動作の概要を説明するための図である。
本実施形態では、ｎ個のストリング１１−１〜１１−ｎのそれぞれの動作は同じであり、ここでは、ストリング１１−１を例示して説明する。
太陽光発電時には、スイッチ部４１は、第１−１の状態に切り替えられる。
【００２９】
図２には、ストリング１１−１について、概略的な構成例および太陽光発電時における動作の例を示してある。
ストリング１１−１は、−端子１３１と、＋端子１３２と、複数枚（図２の例では、３枚の例を示す。）の太陽光パネル１１１−１〜１１１−３を備える。当該太陽光パネル１１１−１〜１１１−３は、図１に示される太陽光パネル（太陽光パネル３１−１など）に相当する。
それぞれの太陽光パネル１１１−１〜１１１−３は、直列に接続されたｍ（ｍは１以上の整数である。）枚のセルを備える。ここで、ｍは１でもよいが、本実施形態では、ｍは２以上である場合を説明する。具体的には、太陽光パネル１１１−１は直列に接続されたｍ枚のセルＡ１−１〜Ａ１−ｍを備え、太陽光パネル１１１−２は直列に接続されたｍ枚のセルＡ２−１〜Ａ２−ｍを備え、太陽光パネル１１１−３は直列に接続されたｍ枚のセルＡ３−１〜Ａ３−ｍを備える。
【００３０】
複数枚の太陽光パネル１１１−１〜１１１−３は直列に接続されている。具体的には、−端子１３１と１番目の太陽光パネル１１１−１の１番目のセルＡ１−１の入力端子とが接続されており、１番目の太陽光パネル１１１−１のｍ番目のセルＡ１−ｍの出力端子と２番目の太陽光パネル１１１−２の１番目のセルＡ２−１の入力端子とが接続されており、２番目の太陽光パネル１１１−２のｍ番目のセルＡ２−ｍの出力端子と３番目の太陽光パネル１１１−３の１番目のセルＡ３−１の入力端子とが接続されており、３番目の太陽光パネル１１１−３のｍ番目のセルＡ３−ｍの出力端子と＋端子１３２とが接続されている。
【００３１】
また、それぞれの太陽光パネル１１１−１〜１１１−３は、１番目のセル（それぞれ、セルＡ１−１、セルＡ２−１、セルＡ３−１）の入力端子とｍ番目のセル（それぞれ、セルＡ１−ｍ、セルＡ２−ｍ、セルＡ３−ｍ）の出力端子とを接続するバイパスダイオード（それぞれ、バイパスダイオード１５１−１、バイパスダイオード１５１−２、バイパスダイオード１５１−３）を備える。それぞれのバイパスダイオード１５１−１〜１５１−３は、−端子１３１の側から＋端子１３２の側に向かって順方向に配置されている。それぞれのバイパスダイオード１５１−１〜１５１−３は、それぞれの太陽光パネル１１１−１〜１１１−３が故障等（故障、または、草木の影の影響など）により電流を流さなくなった場合に、電流を流すことで、ストリング１１−１の全体としての発電を継続させることができる。
【００３２】
なお、本実施形態では、それぞれの太陽光パネル１１１−１〜１１１−３は、同じ枚数（図２の例では、ｍ枚）のセルを有する場合を示すが、他の構成例として、太陽光パネル１１１−１〜１１１−３ごとに、セルの枚数が異なる場合があってもよい。
また、本実施形態では、それぞれの太陽光パネル１１１−１〜１１１−３ごとにバイパスダイオード（バイパスダイオード１５１−１〜１５１−３のそれぞれ）を備える場合を示すが、他の構成例として、任意の連続して接続された２枚以上のセルの両端を接続するバイパスダイオードが備えられてもよい。
【００３３】
太陽光発電時（バイパスダイオード１５１−１〜１５１−３の検査が行われていないとき）には、ストリング１１−１に外部からの光１７１が照射すると、ストリング１１−１を構成する太陽光パネル１１１−１〜１１１−３のセルＡ１−１〜Ａ１−ｍ、Ａ２−１〜Ａ２−ｍ、Ａ３−１〜Ａ３−ｍにより発電が行われる。そして、太陽光発電により発生した電力によって、矢印Ｐ１の方向（−端子１３１から３枚の太陽光パネル１１１−１〜１１１−３のセルＡ１−１〜Ａ１−ｍ、Ａ２−１〜Ａ２−ｍ、Ａ３−１〜Ａ３−ｍを通過して＋端子１３２に向かう方向）に、電流が流れる。
なお、このとき、図１に示されるすべてのスイッチ１３−１〜１３−ｎ、１４−１〜１４−ｎ、７６が閉じているとする。このとき、インバータ７１には、＋端子の側の方が−端子の側と比べて高い電圧（太陽光発電により発生した直流電力）が印加される。この直流電力がインバータ７１によって交流電力に変換されてトランス７３の側（端子７７の側の系統）に供給される。
このように太陽光発電によって発生して流れる電流（本実施形態では、直流電流）は、ストリング（図１の例では、ストリング１１−１〜１１−ｎ）の状態に応じて、変化し得る。例えば、当該ストリング１１−１〜１１−ｎのなかに、故障しているものがある場合、あるいは、草木などの影がかかっているものがある場合には、当該電流は低下する。
【００３４】
［バイパスダイオードの検査時におけるストリングの動作］
図３は、本発明の一実施形態に係るバイパスダイオード１５１−１〜１５１−３の検査時におけるストリング１１−１の動作の概要を説明するための図である。
図３に示されるストリング１１−１の構成は、図２に示される構成と同じである。
バイパスダイオード１５１−１〜１５１−３の検査時には、スイッチ部４１は、第１−２の状態に切り替えられる。
【００３５】
バイパスダイオード１５１−１〜１５１−３の検査が行われるときには、ストリング１１−１において太陽光発電が行われない状態にする。当該状態は、例えば、夜間の期間に実現され、あるいは、ストリング１１−１に外部からの光が照射しないようにシートなどで覆うことなどにより実現される。
ここで、通常、夜間の期間、あるいは、ストリング１１−１がシートなどで覆われた期間は、太陽光の照射が無いため、太陽光による発電が行われない。日射を遮蔽するシートなどを用いることで、昼間の検査も可能である。
【００３６】
そして、バイパスダイオード１５１−１〜１５１−３の検査が行われるときには、インバータ７１は、トランス７３の側（端子７７の側の系統）からの交流電力を直流電力に変換して、当該直流電力により、＋端子の側の方が−端子の側と比べて高い電圧が印加されるようにする。当該直流電力は、インバータ７１とストリング１１−１との間の経路を介して、供給される。これにより、ストリング１１−１では、矢印Ｐ２の方向（−端子１３１から＋端子１３２に向かう方向であって、セルＡ１−１〜Ａ１−ｍ、Ａ２−１〜Ａ２−ｍ、Ａ３−１〜Ａ３−ｍを通過せずに、バイパスダイオード１５１−１〜１５１−３を通過する方向）に、電流が流れる。当該電流が流れるか否か（または、電流の大きさ）を測定することで、バイパスダイオード１５１−１〜１５１−３が正常であるか否かを判定することが可能であり、バイパスダイオード１５１−１〜１５１−３の検査が実現される。つまり、１個のストリング（ｎ個のストリング１１−１〜１１−ｎのそれぞれ）において、すべてのバイパスダイオード１５１−１〜１５１−３が正常であるときには電流が流れるが、バイパスダイオード１５１−１〜１５１−３のうちの任意の１個以上に異常が発生しているときには電流が流れない。また、複数個のストリング（ｎ個のストリング１１−１〜１１−ｎのうちの任意の２個以上の組み合わせ）では、電流が流れないストリングの数に応じて、全体として流れる電流が低下する。
なお、このとき、図１に示されるすべてのスイッチ１３−１〜１３−ｎ、１４−１〜１４−ｎ、７６が閉じているとする。
【００３７】
本実施形態では、バイパスダイオード１５１−１〜１５１−３以外の異常については想定しておらず、仮にバイパスダイオード１５１−１〜１５１−３以外の異常によって電流が流れなくても、バイパスダイオード１５１−１〜１５１−３の異常であるとみなして判定されるが、他の構成例として、バイパスダイオード１５１−１〜１５１−３以外の所定の異常を検出するセンサなどを備えて、バイパスダイオード１５１−１〜１５１−３の異常と、それ以外の異常とを、区別して判定する構成が用いられてもよい。
【００３８】
ここで、インバータ７１は、太陽光発電時にはストリング１１−１〜１１−ｎの側からの直流電力を交流電力に変換してトランス７３の側に出力する動作に切り替え、バイパスダイオード１５１−１〜１５１−３の検査時にはトランス７３の側からの交流電力を直流電力に変換してストリング１１−１〜１１−ｎの側に出力する動作に切り替える。この切り替えは、例えば、人（ユーザ）により行われる操作に基づいて行われてもよく、または、あらかじめ定められた規則（例えば、コンピュータの制御プログラム）などに基づいてインバータ７１により自動的に行われてもよい。人により行われる操作は、例えば、遠隔操作であってもよい。
【００３９】
本実施形態では、一例として、バイパスダイオード１５１−１〜１５１−３の検査時に、系統からの電流をインバータ７１を介してストリング１１−１〜１１−ｎの側へ流し続けて、このとき、すべてのストリング１１−１〜１１−ｎについて、スイッチ１３−１〜１３−ｎ、１４−１〜１４−ｎをオンにしてインバータ７１の側と接続する場合を示した。他の例として、バイパスダイオード１５１−１〜１５１−３の検査時に、系統からの電流をインバータ７１を介してストリング１１−１〜１１−ｎの側へ流し続けて、このとき、１以上のストリング（ｎ個のストリング１１−１〜１１−ｎのうちの一部であって、１個でもよい。）ごとに、スイッチ（スイッチ１３−１〜１３−ｎ、１４−１〜１４−ｎのうちの該当するもの）を順にオンに切り替えてインバータ７１の側と接続する構成が用いられてもよい。
【００４０】
このように、本実施形態では、ストリング１１−１〜１１−ｎが発電していない時を利用して、系統の側における交流電力からストリング１１−１〜１１−ｎの側における直流電力にした電流を流す。そして、当該電流によって、バイパスダイオード１５１−１〜１５１−３の異常を検出することが可能である。
なお、本実施形態では、例えば、人が電流計９１の電流値あるいは電圧計９２の電圧値を視認することで、バイパスダイオード１５１−１〜１５１−３に異常が発生しているか否かを判定することが可能である。
【００４１】
一例として、電流値あるいは電圧値のうちの一方または両方について、所定の閾値未満である場合に、異常が発生したと判定することが可能である。当該閾値は、例えば、検査の対象となるストリングの数に応じて可変に設定されてもよい。この判定には、例えば、電流計９１の電流値と電圧計９２の電圧値との両方が用いられてもよく、または、任意の一方が用いられてもよい。また、電流値に関する閾値と、電圧値に関する閾値とは、それぞれ、任意の値が用いられてもよい。
【００４２】
他の例として、電流値と電圧値との関係について基準となるパターン（基準パターン）を記憶しておき、当該基準パターンと測定結果（測定された電流値と測定された電圧値との関係）との類似度が所定の閾値未満である場合に、異常が発生したと判定することが可能である。当該基準パターンとしては、例えば、検査の対象となるバイパスダイオード１５１−１〜１５１−３が正常であるとき（故障等が無いとき）におけるパターンが用いられてもよい。当該基準パターンとしては、例えば、電流値が一定値であるときのパターン、または、電圧値が一定値であるときのパターンが用いられてもよい。当該類似度としては、任意の類似度が用いられてもよく、ここでは、類似度の値が大きいほど類似することを表す値が用いられている。例えば、電流値と電圧値との関係が基準パターンから（許容される類似度を超えて）外れた場合に異常が発生したと判定することが可能である。
【００４３】
ここで、本実施形態では、スイッチ部４１は、太陽光発電時には第１−１の状態に切り替えられ、バイパスダイオード１５１−１〜１５１−３の検査時には第１−２の状態に切り替えられる。この切り替えは、例えば、人により行われる操作に基づいて行われてもよく、または、あらかじめ定められた規則（例えば、コンピュータの制御プログラム）などに基づいてスイッチ部４１により自動的に行われてもよい。人により行われる操作は、例えば、遠隔操作であってもよい。
また、インバータ７１の切り替えと、スイッチ部４１の切り替えとが、互いに連動していてもよく、例えば、一方の切り替えが行われることに応じて他方の切り替えが行われてもよい。
【００４４】
（第２の構成例）
［太陽光発電システムの構成例］
図４は、本発明の一実施形態（第２の構成例）に係る太陽光発電システム２０１の概略的な構成例を示す図である。
図４に示される太陽光発電システム２０１について、図１に示される太陽光発電システム１とは相違する点について詳しく説明し、同様な点については、同一の符号を付して説明を簡易化または省略する。
【００４５】
図４に示される太陽光発電システム２０１は、図１に示される太陽光発電システム１と比べて、図１に示されるそれぞれのストリング系のスイッチ１３−１〜１３−ｎ、１４−１〜１４−ｎの代わりに、それぞれのストリング系のスイッチ部２１１−１〜２１１−ｎを備える点と、図１に示されるｎ個のストリング系に共通なスイッチ部４１の代わりに、ｎ個のストリング系に共通な＋端子の側のスイッチ２５１および−端子の側のスイッチ２５２を備える点と、スイッチ２５１とインバータ７１の＋端子との間に電流計９１を備える点で、相違する。
【００４６】
それぞれのスイッチ部（スイッチ部２１１−１〜２１１−ｎのそれぞれ）は、２個の切片（切片２１３−１〜２１３−ｎのそれぞれ、および、切片２１４−１〜２１４−ｎのそれぞれ）と、３個の接点（接点２１５−１〜２１５−ｎのそれぞれ、接点２１６−１〜２１６−ｎのそれぞれ、および、接点２１７−１〜２１７−ｎのそれぞれ）を備える。
【００４７】
ここで、ｎ個のストリング系のスイッチ部２１１−１〜２１１−ｎの構成および動作は同様である。ここでは、スイッチ部２１１−１を例示して説明する。
プラス（＋）の接点２１５−１および＋の接点２１７−１は、それぞれ、接続箱１２−１の＋端子（ストリング１１−１の＋端子）と接続されている。マイナス（−）の接点２１６−１は、接続箱１２−１の−端子（ストリング１１−１の−端子）と接続されている。＋端子の側の切片２１３−１は＋端子の側のスイッチ２５１と接続されている。−端子の側の切片２１４−１は−端子の側のスイッチ２５２と接続されている。
スイッチ部２１１−１は、＋端子の側の切片２１３−１と＋の接点２１５−１とが接続されるとともに−端子の側の切片２１４−１と−端子の側の接点２１６−１とが接続される状態（以下、「第２−１の状態」ともいう。）と、＋端子の側の切片２１３−１と−の接点２１６−１とが接続されるとともに−端子の側の切片２１４−１と＋端子の側の接点２１７−１とが接続される状態（以下、「第２−２の状態」ともいう。）とを切り替える。
【００４８】
＋端子の側のスイッチ２５１は、（電流計９１を介して）インバータ７１の＋端子と接続されているとともに、ｎ個のストリング系の＋端子の側の切片２１３−１〜２１３−ｎのそれぞれと接続されている。
−端子の側のスイッチ２５２は、インバータ７１の−端子と接続されているとともに、ｎ個のストリング系の−端子の側の切片２１４−１〜２１４−ｎのそれぞれと接続されている。
【００４９】
本実施形態に係る太陽光発電システム１では、それぞれのストリング１１−１〜１１−ｎにおいて、太陽光を利用して電力を発電する。発電された電力は、接続箱１２−１〜１２−ｎ、スイッチ部２１１−１〜２１１−ｎ、スイッチ２５１、２５２、インバータ７１、端子７２、トランス７３、端子７４、端子７５、スイッチ７６、端子７７を介して、当該端子７７の接続先へ供給される。当該端子７７の接続先は、例えば、一般の電力系統（系統）である。
なお、それぞれのスイッチ２５１、２５２、７６は、閉じられているとき（オンのとき）には電力を通過させ、開かれているとき（オフのとき）には電力を通過させない。
【００５０】
ここで、本実施形態では、ｎ個のスイッチ部２１１−１〜２１１−ｎは、太陽光発電時には第２−１の状態に切り替えられ、バイパスダイオード１５１−１〜１５１−３の検査時には第２−２の状態に切り替えられる。この切り替えは、例えば、人により行われる操作に基づいて行われてもよく、または、あらかじめ定められた規則（例えば、コンピュータの制御プログラム）などに基づいてスイッチ部４１により自動的に行われてもよい。人により行われる操作は、例えば、遠隔操作であってもよい。
また、インバータ７１の切り替えと、ｎ個のスイッチ部２１１−１〜２１１−ｎの切り替えとが、互いに連動していてもよく、例えば、一方の切り替えが行われることに応じて他方の切り替えが行われてもよい。
なお、太陽光発電時におけるストリング１１−１〜１１−ｎの動作は図２に示されるものと同様であり、バイパスダイオード１５１−１〜１５１−３の検査時におけるストリング１１−１〜１１−ｎの動作は図３に示されるものと同様である。
【００５１】
（第３の構成例）
［太陽光発電システムの構成例］
図５は、本発明の一実施形態（第３の構成例）に係る太陽光発電システム３０１の概略的な構成例を示す図である。
図５に示される太陽光発電システム３０１について、図１に示される太陽光発電システム１とは相違する点について詳しく説明し、同様な点については、同一の符号を付して説明を簡易化または省略する。また、図５に示されるスイッチ２５１、２５２は、図４に示されるものと同様である。
【００５２】
図５に示される太陽光発電システム３０１は、図１に示される太陽光発電システム１と比べて、図１に示されるインバータ７１、スイッチ部４１、電流計９１および電圧計９２の代わりに、測定部３７１およびスイッチ２５１、２５２を備える点で、相違する。
また、本実施形態では、インバータ３９１は、ｎ個のストリング系の側における直流電力をトランス７３の側における交流電力に変換する機能を有するが、トランス７３の側における交流電力をｎ個のストリング系の側における直流電力に変換する機能を有していなくてもよい。
【００５３】
測定部３７１は、インバータ３９１と、パルス発生器３９２を備える。
インバータ３９１と端子７２とが接続されているとともに、インバータ３９１と２個のスイッチ２５１、２５２とが接続されている。
＋端子の側のスイッチ２５１は、インバータ７１の＋端子と接続されているとともに、ｎ個のストリング系の＋端子の側のスイッチ１３−１〜１３−ｎのそれぞれと接続されている。
−端子の側のスイッチ２５２は、インバータ７１の−端子と接続されているとともに、ｎ個のストリング系の−端子の側のスイッチ１４−１〜１４−ｎのそれぞれと接続されている。
パルス発生器３９２の−端子は、＋端子の側のスイッチ２５１と並行して、ｎ個のストリング系の＋端子の側のスイッチ１３−１〜１３−ｎのそれぞれと接続されている。
パルス発生器３９２の＋端子は、−端子の側のスイッチ２５２と並行して、ｎ個のストリング系の−端子の側のスイッチ１４−１〜１４−ｎのそれぞれと接続されている。
【００５４】
本実施形態に係る太陽光発電システム３０１では、それぞれのストリング１１−１〜１１−ｎにおいて、太陽光を利用して電力を発電する。発電された電力は、接続箱１２−１〜１２−ｎ、スイッチ１３−１〜１３−ｎ、１４−１〜１４−ｎ、スイッチ２５１、２５２、インバータ３９１、端子７２、トランス７３、端子７４、端子７５、スイッチ７６、端子７７を介して、当該端子７７の接続先へ供給される。当該端子７７の接続先は、例えば、一般の電力系統（系統）である。
なお、それぞれのスイッチ２５１、２５２、７６は、閉じられているとき（オンのとき）には電力を通過させ、開かれているとき（オフのとき）には電力を通過させない。
【００５５】
ここで、本実施形態では、２個のスイッチ２５１、２５２は、太陽光発電時にはインバータ３９１と接続される状態に切り替えられ、バイパスダイオード１５１−１〜１５１−３の検査時にはインバータ３９１と接続されない状態（非接続となる状態）に切り替えられる。この切り替えは、例えば、人により行われる操作に基づいて行われてもよく、または、あらかじめ定められた規則（例えば、コンピュータの制御プログラム）などに基づいてスイッチ部４１により自動的に行われてもよい。人により行われる操作は、例えば、遠隔操作であってもよい。
【００５６】
本実施形態では、パルス発生器３９２は、太陽光発電時には動作せず、バイパスダイオード１５１−１〜１５１−３の検査時には動作する。
具体的には、バイパスダイオード１５１−１〜１５１−３の検査時に、パルス発生器３９２は、所定のパルスを発生して、当該パルスをｎ個のストリング１１−１〜１１−ｎのそれぞれに対して出力する。当該パルスは、例えば、電圧のパルス、または、電流のパルスである。当該パルスの波形としては、任意の波形が用いられてもよい。当該パルスは、インバータ３９１とストリング１１−１〜１１−ｎとの間の経路を介して、供給される。
このとき、ｎ個のストリング１１−１〜１１−ｎのうちの１個ごとに、スイッチ（スイッチ１３−１〜１３−ｎ、１４−１〜１４−ｎのうちの該当するもの）を順にオンに切り替えてパルス発生器３９２の側と接続してもよい。これにより、ストリング１１−１〜１１−ｎのそれぞれごとに、バイパスダイオード１５１−１〜１５１−３の検査を行うことが可能である。
【００５７】
また、バイパスダイオード１５１−１〜１５１−３の検査時に、測定部３７１は、パルス発生器３９２から出力されたパルス（例えば、同じ波形のパルス、または、完全に同じでなくても対応する波形のパルス）が当該パルス発生器３９２の側に戻ってきたか否かを判定する。測定部３７１は、当該パルスがパルス発生器３９２の側に戻ってきたと判定した場合には、検査の対象としたストリング（ｎ個のストリング１１−１〜１１−ｎのうちで、当該パルスを出力したストリング）が正常であると判定し、当該パルスがパルス発生器３９２の側に戻ってこなかったと判定した場合には、検査の対象としたストリングに異常が発生していると判定する。この判定の機能は、例えば、パルス発生器３９２に備えられてもよい。
【００５８】
なお、パルス発生器３９２は、図３に示される方向Ｐ２に電流が流れるようにパルスを出力する。
また、パルス発生器３９２による動作（本実施形態では、パルスを出力するか否かの動作）の切り替えと、スイッチ２５１、２５２の切り替えとが、互いに連動していてもよく、例えば、一方の切り替えが行われることに応じて他方の切り替えが行われてもよい。
なお、太陽光発電時におけるストリング１１−１〜１１−ｎの動作は図２に示されるものと同様であり、バイパスダイオード１５１−１〜１５１−３の検査時におけるストリング１１−１〜１１−ｎの動作は図３に示されるものと同様である。
【００５９】
ここで、図５の例では、インバータ３９１とは別にパルス発生器３９２を備えた場合を示したが、パルス発生器３９２の機能をインバータ３９１に備えてもよい。つまり、パルス発生器３９２の機能とインバータ３９１の機能との両方を、ひとまとまりの回路で構成してもよい。
【００６０】
（第４の構成例）
［太陽光発電システムの構成例］
図６は、本発明の一実施形態（第４の構成例）に係る太陽光発電システム４０１の概略的な構成例を示す図である。
図６に示される太陽光発電システム４０１について、図１に示される太陽光発電システム１とは相違する点について詳しく説明し、同様な点については、同一の符号を付して説明を簡易化または省略する。また、図６に示されるスイッチ２５１、２５２は、図４に示されるものと同様である。
【００６１】
図６に示される太陽光発電システム４０１は、図１に示される太陽光発電システム１と比べて、図１に示されるスイッチ部４１、電流計９１および電圧計９２の代わりに、スイッチ２５１、２５２および測定部４１１を備える点で、相違する。
また、本実施形態では、インバータ７１は、ｎ個のストリング系の側における直流電力をトランス７３の側における交流電力に変換する機能を有するが、トランス７３の側における交流電力をｎ個のストリング系の側における直流電力に変換する機能を有していなくてもよい。
【００６２】
測定部４１１は、蓄電池４３１を備える。
インバータ７１と端子７２とが接続されているとともに、インバータ７１と２個のスイッチ２５１、２５２とが接続されている。
＋端子の側のスイッチ２５１は、インバータ７１の＋端子と接続されているとともに、ｎ個のストリング系の＋端子の側のスイッチ１３−１〜１３−ｎのそれぞれと接続されている。
−端子の側のスイッチ２５２は、インバータ７１の−端子と接続されているとともに、ｎ個のストリング系の−端子の側のスイッチ１４−１〜１４−ｎのそれぞれと接続されている。
蓄電池４３１の−端子は、＋端子の側のスイッチ２５１と並行に、ｎ個のストリング系の＋端子の側のスイッチ１３−１〜１３−ｎのそれぞれと接続されている。
蓄電池４３１の＋端子は、−端子の側のスイッチ２５２と並行に、ｎ個のストリング系の−端子の側のスイッチ１４−１〜１４−ｎのそれぞれと接続されている。
【００６３】
本実施形態に係る太陽光発電システム４０１では、それぞれのストリング１１−１〜１１−ｎにおいて、太陽光を利用して電力を発電する。発電された電力は、接続箱１２−１〜１２−ｎ、スイッチ１３−１〜１３−ｎ、１４−１〜１４−ｎ、スイッチ２５１、２５２、インバータ７１、端子７２、トランス７３、端子７４、端子７５、スイッチ７６、端子７７を介して、当該端子７７の接続先へ供給される。当該端子７７の接続先は、例えば、一般の電力系統（系統）である。
なお、それぞれのスイッチ２５１、２５２、７６は、閉じられているとき（オンのとき）には電力を通過させ、開かれているとき（オフのとき）には電力を通過させない。
【００６４】
ここで、本実施形態では、２個のスイッチ２５１、２５２は、太陽光発電時にはインバータ７１と接続される状態に切り替えられ、バイパスダイオード１５１−１〜１５１−３の検査時にはインバータ７１と接続されない状態（非接続となる状態）に切り替えられる。この切り替えは、例えば、人により行われる操作に基づいて行われてもよく、または、あらかじめ定められた規則（例えば、コンピュータの制御プログラム）などに基づいてスイッチ部４１により自動的に行われてもよい。人により行われる操作は、例えば、遠隔操作であってもよい。
【００６５】
本実施形態では、測定部４１１は、太陽光発電時には太陽光発電によって発生した電力を蓄電池４３１により蓄電する状態に切り替え、バイパスダイオード１５１−１〜１５１−３の検査時には蓄電池４３１に蓄電された電力を放電（出力）する状態に切り替える。
具体的には、バイパスダイオード１５１−１〜１５１−３の検査時に、蓄電池４３１は、所定の電圧をｎ個のストリング１１−１〜１１−ｎのそれぞれに対して印加する。当該電圧は、蓄電池４３１の＋端子の方が−端子よりも高い電圧である。当該電圧は、インバータ７１とストリング１１−１〜１１−ｎとの間の経路を介して、供給される。
このとき、ｎ個のストリング１１−１〜１１−ｎのうちの１個ごとに、スイッチ（スイッチ１３−１〜１３−ｎ、１４−１〜１４−ｎのうちの該当するもの）を順にオンに切り替えて蓄電池４３１の側と接続してもよい。これにより、ストリング１１−１〜１１−ｎのそれぞれごとに、検査を行うことが可能である。
【００６６】
また、バイパスダイオード１５１−１〜１５１−３の検査時に、測定部４１１は、蓄電池４３１により印加された電圧によってバイパスダイオード１５１−１〜１５１−３に流れた電流の値を測定（検出）する。測定部４１１は、当該電流の値を測定する電流計を備えてもよく、または、当該電流の値に対応する電圧の値を測定する電圧計を備えてもよい。
当該電流が流れるか否か（または、電流の大きさ）を測定することで、バイパスダイオード１５１−１〜１５１−３が正常であるか否かを判定することが可能であり、バイパスダイオード１５１−１〜１５１−３の検査が実現される。つまり、１個のストリング（ｎ個のストリング１１−１〜１１−ｎのそれぞれ）において、すべてのバイパスダイオード１５１−１〜１５１−３が正常であるときには電流が流れるが、バイパスダイオード１５１−１〜１５１−３のうちの任意の１個以上に異常が発生しているときには電流が流れない。また、複数個のストリング（ｎ個のストリング１１−１〜１１−ｎのうちの任意の２個以上の組み合わせ）では、電流が流れないストリングの数に応じて、全体として流れる電流が低下する。
【００６７】
また、蓄電池４３１による動作（本実施形態では、蓄電するかまたは放電するかの動作）の切り替えと、スイッチ２５１、２５２の切り替えとが、互いに連動していてもよく、例えば、一方の切り替えが行われることに応じて他方の切り替えが行われてもよい。
なお、太陽光発電時におけるストリング１１−１〜１１−ｎの動作は図２に示されるものと同様であり、バイパスダイオード１５１−１〜１５１−３の検査時におけるストリング１１−１〜１１−ｎの動作は図３に示されるものと同様である。
【００６８】
［測定装置を備えた太陽光発電システムの構成］
図７は、本発明の一実施形態に係る測定装置５０１を備えた太陽光発電システム１Ａの概略的な構成例を示す図である。
太陽光発電システム１Ａは、図１に示される構成と比べて、測定装置５０１を備える点以外は、同様である。説明の便宜上、図４の例では、図１の例と同様な構成部については同じ符号を付してある。
測定装置５０１は、電流計９１および電圧計９２のそれぞれと接続されている。
【００６９】
図８は、本発明の一実施形態に係る測定装置５０１の概略的な構成例を示す図である。
測定装置５０１は、入力部５１１と、出力部５１２と、記憶部５１３と、測定部５１４と、制御部５１５を備える。制御部５１５は、判定部５３１を備える。
入力部５１１は、外部から情報を入力する。入力部５１１は、例えば、人により行われる操作を受け付ける操作部を備えてもよい。また、入力部５１１は、例えば、外部の装置から出力された情報を入力してもよい。なお、操作部は、測定装置５０１とは別体で備えられて、測定装置５０１と有線または無線の回線を介して通信可能に接続されてもよい。
出力部５１２は、外部へ情報を出力する。出力部５１２は、例えば、人に対して画面に情報を表示出力する表示部を備えてもよい。また、出力部５１２は、例えば、人に対して音を出力するスピーカを備えてもよい。また、出力部５１２は、例えば、外部の装置に情報を出力してもよい。なお、表示部あるいはスピーカは、測定装置５０１とは別体で備えられて、測定装置５０１と有線または無線の回線を介して通信可能に接続されてもよい。
【００７０】
記憶部５１３は、情報を記憶する。記憶部５１３は、例えば、制御部５１５により使用される制御プログラムあるいはパラメータなどを記憶してもよい。また、記憶部５１３は、例えば、測定結果の情報、あるいは、判定結果の情報などを記憶してもよい。なお、図８の例では、記憶部５１３を測定装置５０１と一体で備えるが、他の構成例として、記憶部５１３は、測定装置５０１とは別体で備えられて、測定装置５０１と有線または無線の回線を介して通信可能に接続されてもよい。
【００７１】
測定部５１４は、測定対象の値を測定（検出）する。
図７の例では、測定対象の値は、電流計９１の電流値と電圧計９２の電圧値とのうちの任意の一方または両方である。
【００７２】
制御部５１５は、測定装置５０１における処理あるいは制御を行う。制御部５１５は、例えば、判定部５３１により、測定部５１４により取得された測定結果に基づいて、故障等の有無などを判定する処理を行ってもよい。また、制御部５１５は、例えば、測定部５１４により取得された測定結果に基づいて、他の解析の処理を行ってもよい。なお、制御部５１５は、例えば、ＣＰＵ（Ｃｅｎｔｒａｌ  Ｐｒｏｃｅｓｓｉｎｇ  Ｕｎｉｔ）を有し、記憶部５１３に記憶された制御プログラムあるいはパラメータなどを使用して、処理あるいは制御を行ってもよい。
【００７３】
なお、本実施形態では、２個以上の異なるストリング（図７の例では、すべてのストリング１１−１〜１１−ｎ）に共通の測定装置５０１を備え、当該測定装置５０１が、これら２個以上の異なるストリングについて、例えば、それぞれ順番に別個に測定を行う。他の構成例として、それぞれのストリング１１−１〜１１−ｎごとに１個の測定装置を備えてもよい。
【００７４】
また、本実施形態では、測定装置５０１は、判定部５３１により、測定部５１４により測定された結果に基づいて、それぞれのストリング１１−１〜１１−ｎに故障等が発生したか否かを判定する。この判定の手法としては、任意の手法が用いられてもよい。
なお、測定値（電流値あるいは電圧値）は、例えば、時間的に平均化した平均値であってもよい。
また、閾値に基づいて判定を行う場合、当該閾値として、例えば、温度、日射量、時刻、季節などの所定の条件によって異なる値が用いられてもよい。この場合、測定装置５０１は、当該条件を検出する検出部（例えば、センサ）を備えて、その検出結果に応じて当該条件に合う閾値を設定してもよい。
【００７５】
また、測定装置５０１において、測定部５１４により、測定対象の値を測定するタイミングとしては、任意のタイミングが用いられてもよい。
一例として、測定装置５０１は、あらかじめ定められた測定タイミングを決定するための情報を記憶して、自動的に、当該測定タイミングで測定を行ってもよい。当該測定タイミングは、例えば、あらかじめ定められた夜間などのタイミングであってもよく、または、一定の周期のタイミングであってもよい。夜間などのタイミングは、点検が行われるタイミングであってもよい。一定の周期のタイミングは、例えば、１日に１回のタイミング、あるいは、１か月に１回のタイミングなどであってもよい。
他の例として、測定装置５０１は、人により行われる操作を受け付けて、当該操作に応じた測定タイミングで測定を行ってもよい。具体例として、測定装置５０１は、測定を行うことを人の手動で指示するためのボタンあるいはレバーなどを（例えば、入力部５１１として）備えてもよい。
なお、同様に、測定装置５０１において、判定部５３１により、故障等に関する判定を行うタイミングとしては、任意のタイミングが用いられてもよい。例えば、当該判定の処理が、測定の処理に続けて、当該測定の結果に基づいて行われてもよい。
【００７６】
また、測定装置５０１は、出力部５１２により、表示あるいは音（音声でもよい）などによって、測定結果あるいは判定結果に関する情報を出力してもよい。一例として、測定装置５０１は、測定結果の情報を表示部の画面に表示出力すること、あるいは、判定結果の情報を表示部の画面に表示出力すること、のうちの一方または両方を行う。他の例として、測定装置５０１は、測定結果の情報をスピーカから音出力すること、あるいは、判定結果の情報をスピーカから音出力すること、のうちの一方または両方を行う。判定結果の情報には、例えば、故障等の有無の情報が含まれてもよい。判定結果の情報は、例えば、故障等が存在することなどについての警告を表す情報であってもよい。
また、測定装置５０１は、人により行われる操作を受け付けて、受け付けられた操作に基づいて、当該操作に対応する動作（例えば、表示出力あるいは音の出力など）を行ってもよい。
【００７７】
また、人が、測定装置５０１による測定結果を見て、故障等の有無などを判定する構成が用いられてもよい。
すなわち、測定装置５０１は、少なくとも、測定対象となる値を測定し、そして、それ以降の解析あるいは判定などは、人が行ってもよく、または、人と測定装置５０１とで分担して行ってもよい。
また、測定装置５０１は、例えば、人によって持ち運びが可能であってもよく、または、測定対象の設置位置の付近に設置されてもよい。
【００７８】
また、複数個の測定装置５０１が備えられる場合、これらを監視する装置（監視装置）を備えてもよい。この場合、それぞれの測定装置５０１が測定結果あるいは判定結果に関する情報を送信し、監視装置が当該情報を受信して収集してもよい。なお、通信（送信、受信）は、例えば、有線の回線を用いて行われてもよく、または、無線の回線を用いて行われてもよい。
【００７９】
ここで、図７の例では、図１に示される構成において測定装置５０１を備えた場合を示した。他の構成例として、図４に示される構成において測定装置５０１と同様な測定装置を備えた太陽光発電システムが実施されてもよい。他の構成例として、図５に示される構成において、測定部３７１の機能を含む測定装置を備えた太陽光発電システムが実施されてもよい。他の構成例として、図６に示される構成において、測定部４１１の機能を含む測定装置を備えた太陽光発電システムが実施されてもよい。
【００８０】
［監視システムの構成］
図９は、本発明の一実施形態に係る監視システム６０１の概略的な構成例を示す図である。
監視システム６０１は、測定装置６１１と、ネットワーク６１３と、監視装置６１２を備える。
測定装置６１１と、監視装置６１２は、ネットワーク６１３と接続される。
監視装置６１２と測定装置６１１とが、ネットワーク６１３を介して、通信する。
【００８１】
ここで、図９の例に係る太陽光発電システム（システム全体の図示は省略）の構成は、図７に示される構成と比べて、図７に示される測定装置５０１の代わりに測定装置６１１を備え、さらに監視装置６１２およびネットワーク６１３を備える点以外は、同様である。そして、測定装置６１１が、ネットワーク６１３を介して、監視装置６１２と接続される。
【００８２】
図１０は、本発明の一実施形態に係る測定装置６１１の概略的な構成例を示す図である。
測定装置６１１は、入力部７１１と、出力部７１２と、記憶部７１３と、通信部７１４と、測定部７１５と、制御部７１６を備える。制御部７１６は、判定部７３１を備える。
ここで、入力部７１１、出力部７１２、記憶部７１３、測定部７１５、制御部７１６、判定部７３１のそれぞれの機能は、図８に示される測定装置５０１に係る入力部５１１、出力部５１２、記憶部５１３、測定部５１４、制御部５１５、判定部５３１のそれぞれの機能と同様である。
【００８３】
通信部７１４は、ネットワーク６１３を介して、外部の装置と通信する。例えば、通信部７１４は、ネットワーク６１３を介して、監視装置６１２と通信する。具体例として、通信部７１４は、測定結果の情報、判定結果の情報、または、他の解析の結果の情報などのうちの１以上を監視装置６１２に送信する。また、通信部７１４は、監視装置６１２から、動作の指示の情報などを受信してもよい。
なお、図１０の例では、入力部７１１および出力部７１２とは別に、ネットワーク６１３と接続される通信部７１４を示したが、例えば、当該通信部７１４の機能は入力部７１１および出力部７１２の機能により実現されてもよい。
【００８４】
図１１は、本発明の一実施形態に係る監視装置６１２の概略的な構成例を示す図である。
監視装置６１２は、入力部８１１と、出力部８１２と、記憶部８１３と、通信部８１４と、制御部８１５を備える。
入力部８１１は、外部から情報を入力する。入力部８１１は、例えば、人により行われる操作を受け付ける操作部を備えてもよい。また、入力部８１１は、例えば、外部の装置から出力された情報を入力してもよい。なお、操作部は、監視装置６１２とは別体で備えられて、監視装置６１２と有線または無線の回線を介して通信可能に接続されてもよい。
出力部８１２は、外部へ情報を出力する。出力部８１２は、例えば、人に対して画面に情報を表示出力する表示部を備えてもよい。また、出力部８１２は、例えば、人に対して音を出力するスピーカを備えてもよい。また、出力部８１２は、例えば、外部の装置に情報を出力してもよい。なお、表示部あるいはスピーカは、監視装置６１２とは別体で備えられて、監視装置６１２と有線または無線の回線を介して通信可能に接続されてもよい。
【００８５】
記憶部８１３は、情報を記憶する。記憶部８１３は、例えば、制御部８１５により使用される制御プログラムあるいはパラメータなどを記憶してもよい。また、記憶部８１３は、例えば、測定装置６１１から受信された情報を記憶してもよく、具体例として、測定結果の情報、あるいは、判定結果の情報などを記憶してもよい。なお、本実施形態では、記憶部８１３を監視装置６１２と一体で備えるが、他の構成例として、記憶部８１３は、監視装置６１２とは別体で備えられて、監視装置６１２と有線または無線の回線を介して通信可能に接続されてもよい。
【００８６】
通信部８１４は、ネットワーク６１３を介して、外部の装置と通信する。例えば、通信部８１４は、ネットワーク６１３を介して、測定装置６１１と通信する。具体例として、通信部８１４は、測定装置６１１から、測定結果の情報、判定結果の情報、または、他の解析の結果の情報などのうちの１以上を受信する。また、通信部８１４は、測定装置６１１に対して、動作の指示の情報などを送信してもよい。
なお、図１１の例では、入力部８１１および出力部８１２とは別に、ネットワーク６１３と接続される通信部８１４を示したが、例えば、当該通信部８１４の機能は入力部８１１および出力部８１２の機能により実現されてもよい。
【００８７】
制御部８１５は、監視装置６１２における処理あるいは制御を行う。
一例として、通信部８１４により測定装置６１１から測定結果の情報を受信する場合、制御部８１５は、取得（ここでは、受信）された測定結果の情報に基づいて、故障等の有無などを判定する処理を行ってもよく、また、取得された測定結果に基づいて、他の解析の処理を行ってもよい。
他の例として、通信部８１４により測定装置６１１から判定結果の情報を受信する場合、取得（ここでは、受信）された判定結果の情報に基づいて、他の解析の処理を行ってもよい。
なお、制御部８１５は、例えば、ＣＰＵを有し、記憶部８１３に記憶された制御プログラムあるいはパラメータなどを使用して、処理あるいは制御を行ってもよい。
【００８８】
本構成例では、一例として、測定装置６１１により得られた測定結果の情報を１個の監視装置６１２によって収集し、当該監視装置６１２において当該測定結果の情報に基づいて故障等の有無などの判定を行うことが可能である。本構成例では、他の例として、測定装置６１１により得られた判定結果の情報を１個の監視装置６１２によって収集することが可能である。監視装置６１２では、例えば、測定装置６１１により得られた測定結果の情報、および、当該測定結果から得られた判定結果の情報などを記憶部８１３に記憶して一括管理することが可能である。
【００８９】
［以上の実施形態のまとめ］
以上のように、本実施形態に係る太陽光発電システム１では、太陽光発電モジュール（図１の例では、ストリング１１−１〜１１−ｎ、太陽光パネル３１−１〜３１−ｎ、セル）に設けられたバイパスダイオード１５１−１〜１５１−３の検査を簡易化することができる。
また、本実施形態に係る太陽光発電システム１Ａでは、測定装置５０１により、バイパスダイオード１５１−１〜１５１−３の検査時の測定を行うことができる。
また、本実施形態に係る監視システム６０１では、測定装置６１１による測定結果などの情報を監視装置６１２により収集して管理することができる。
【００９０】
本実施形態では、太陽光発電システム１、１Ａが設置される現地において、太陽光パネル３１−１〜３１−ｎ（あるいは、セル）の取り外しおよび取り付けをしなくても、バイパスダイオード１５１−１〜１５１−３の検査が可能である。このため、バイパスダイオード１５１−１〜１５１−３の検査に要する作業時間を大幅に小さくすることが可能である。本実施形態では、例えば、バイパスダイオード１５１−１〜１５１−３の断線を短時間に検出することが可能である。例えば、夜間のように太陽光発電が利用されない期間にバイパスダイオードの検査を行うことで、昼間における太陽光発電を停止する必要をなくすことが可能である。
本実施形態では、例えば、太陽光パネル３１−１〜３１−ｎ（あるいは、セル）について、工場出荷前にメーカなどによりバイパスダイオード１５１−１〜１５１−３の検査が行われている場合、または、行われていない場合に、設置後においてバイパスダイオード１５１−１〜１５１−３の検査によって異常を検出することが可能である。
このように、本実施形態では、現地においてバイパスダイオード１５１−１〜１５１−３の検査を効率良く行うことができる。また、本実施形態では、例えば、人または装置のうちの一方または両方により行われるバイパスダイオード１５１−１〜１５１−３の検査の方法を実施することが可能である。
【００９１】
一構成例として、バイパスダイオード（図２および図３の例では、バイパスダイオード１５１−１〜１５１−３）を有する太陽光発電モジュール（図１、図４〜図７の例では、ストリング１１−１〜１１−ｎ、太陽光パネル３１−１〜３１−ｎ、セル）と、太陽光発電モジュールによる発電によって発生した直流電流を交流電流に変換して出力するインバータ（図１、図４〜図７の例では、インバータ７１、３９１）と、太陽光発電モジュールとインバータとの間の経路を介して、太陽光発電モジュールに対して太陽光発電時と同じ向き（太陽光発電時に流れる電流の向きと同じ向き）の電流を流すための出力を行う検査出力部と、を備える太陽光発電システム（図１、図４〜図７の例では、太陽光発電システム１、１Ａ、２０１、３０１、４０１）である。
一構成例として、太陽光発電システムにおいて、検査出力部は、インバータに備えられ、入力された交流電流を直流電流に変換して太陽光発電モジュールに出力する（図１および図４の例）。
一構成例として、太陽光発電システムにおいて、検査出力部は、電圧または電流のパルスを発生して太陽光発電モジュールに出力するパルス発生器（図５の例では、パルス発生器３９２）を有する（図５の例）。
一構成例として、太陽光発電システムにおいて、検査出力部は、電圧を太陽光発電モジュールに印加する蓄電池（図６の例では、蓄電池４３１）を有する（図６の例）。
一構成例として、太陽光発電システムにおいて、太陽光発電モジュールに流れる電流または太陽光発電モジュールに印加される電圧に関する値（例えば、電流値と電圧値との一方または両方であり、パルスの電流値または電圧値でもよい。）を測定する測定部（図１および図４の例では電流計９１および電圧計９２、図５の例では測定部３７１、図６の例では測定部４１１、図７〜図１１の例では測定装置５０１、６１１の測定部５１４、７１５）を備える。
一構成例として、バイパスダイオードを有する太陽光発電モジュールによる発電によって発生した直流電流を交流電流に変換して出力するインバータと太陽光発電モジュールとの間の経路を介して、太陽光発電モジュールに対して太陽光発電時と同じ向きの電流を流すための出力を行い、太陽光発電モジュールに流れる電流または太陽光発電モジュールに印加される電圧に関する値を測定し、測定の結果に基づいて太陽光発電モジュールの検査を行う、検査方法である。
【００９２】
ここで、以上に示した実施形態に係る装置（例えば、測定装置５０１、６１１、監視装置６１２など）の機能を実現するためのプログラムをコンピュータ読み取り可能な記録媒体（記憶媒体）に記録（記憶）して、この記録媒体に記録されたプログラムをコンピュータシステムに読み込ませ、実行することにより、処理を行ってもよい。
なお、ここでいう「コンピュータシステム」とは、オペレーティング・システム（ＯＳ：Ｏｐｅｒａｔｉｎｇ  Ｓｙｓｔｅｍ）あるいは周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｃ）等の可搬媒体、コンピュータシステムに内蔵されるハードディスク等の記憶装置のことをいう。
さらに、「コンピュータ読み取り可能な記録媒体」とは、インターネット等のネットワークあるいは電話回線等の通信回線を介してプログラムが送信された場合のサーバあるいはクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【００９３】
以上、本発明の実施形態について図面を参照して詳述したが、具体的な構成はこの実施形態に限られるものではなく、本発明の要旨を逸脱しない範囲の設計変更等も含まれる。
【符号の説明】
【００９４】
１、１Ａ、２０１、３０１、４０１…太陽光発電システム、１１−１〜１１−ｎ…ストリング、１２−１〜１２−ｎ…接続箱、１３−１〜１３−ｎ、１４−１〜１４−ｎ、７６、２５１〜２５２…スイッチ、３１−１〜３１−ｎ、１１１−１〜１１１−３…太陽光パネル、４１、２１１−１〜２１１−ｎ…スイッチ部、５１〜５２、２１３−１〜２１３−ｎ、２１４−１〜２１４−ｎ…切片、５３〜５５、２１５−１〜２１５−ｎ、２１６−１〜２１６−ｎ、２１７−１〜２１７−ｎ…接点、７１、３９１…インバータ、７２、７４〜７５、７７…端子、７３…トランス、９１…電流計、９２…電圧計、１３１…マイナス端子、１３２…プラス端子、１５１−１〜１５１−３…バイパスダイオード、１７１…光、Ａ１−１〜Ａ１−ｍ、Ａ２−１〜Ａ２−ｍ、Ａ３−１〜Ａ３−ｍ…セル、Ｐ１、Ｐ２…方向、３７１、４１１、５１４、７１５…測定部、３９２…パルス発生器、４３１…蓄電池、５０１…測定装置、５１１、７１１、８１１…入力部、５１２、７１２、８１２…出力部、５１３、７１３、８１３…記憶部、５１５、７１６、８１５…制御部、５３１、６１１、７３１…判定部、６０１…監視システム、６１２…監視装置、６１３…ネットワーク、７１４、８１４…通信部
【図１】
2017200286.tif 000003
【図２】
2017200286.tif 000004
【図３】
2017200286.tif 000005
【図４】
2017200286.tif 000006
【図５】
2017200286.tif 000007
【図６】
2017200286.tif 000008
【図７】
2017200286.tif 000009
【図８】
2017200286.tif 000010
【図９】
2017200286.tif 000011
【図１０】
2017200286.tif 000012
【図１１】
2017200286.tif 000013